【手続補正書】
【提出日】平成20年9月8日(2008.9.8)
【手続補正１】
【補正対象書類名】明細書
【補正対象項目名】特許請求の範囲
【補正方法】変更
【補正の内容】
【特許請求の範囲】
【請求項１】
超音波イメージング・システムであって、
画像データの複数のフレームを取得する画像取得サブシステムと、
取得された前記画像データの複数のフレームと複数の動作命令とを記憶するシステム・メモリと、
前記取得された画像データの複数のフレームに基づく画像を表示する表示サブシステムと、
画像データの複数のフレームを表示するように前記表示サブシステムを制御する表示プロセッサと、
画像データの複数のフレームと、前記複数の動作命令と、システム製造者又はサービス提供者によって前記イメージング・システムで実行することを許可された全てのプロセスのリストを表す暗号化されたデータを含むレジストリ・ファイルとを記憶するハードディスク（２１）と、
前記イメージング・システムの起動時に前記ハードディスクから前記システム・メモリに前記複数の動作命令をコピーするオペレーティング・システム（３６）と、
前記ハードディスクから前記システム・メモリにコピーされた前記複数の動作命令に従って、前記画像取得サブシステムと前記表示サブシステムと制御するようにプログラムされたホスト・コンピュータとを備え、
前記ホスト・コンピュータはさらに第１および第２のウイルス保護機能がプログラムされており、
前記第１のウイルス保護機能は、ファイルが前記ハードディスクにインストールされる前に、前記ファイルがコンピュータ・ウイルスの属性を有していることを検出する手段を有し、
前記第２のウイルス保護機能は、前記ハードディスクから前記システム・メモリにコピーされていないがオペレーティング・システムにより実行される予定のアプリケーションプログラムを監視する手段を有し、
該監視する手段は、前記レジストリ・ファイルの前記暗号化されたデータを解読する手段と、前記オペレーティング・システムにより実行される前記アプリケーションプログラムの起動するプロセスを特定する、前記オペレーティング・システムから受け取った識別子と整合するエントリーがあるか前記解読されたデータを探索する手段とを備えている超音波イメージング・システム。
【請求項２】
前記属性が前記ファイルのチェックサム又はサイズである、請求項１記載の超音波イメージング・システム。
【請求項３】
前記イメージング・システムは更に表示サブシステム（１１、１４、１６）を含んでおり、
前記ウイルス走査部は更に、前記ファイルの検出に応答して前記表示サブシステムによって、ウイルス警告及び仮想作動器を含むグラフィカル・ユーザ・インターフェースを表示させる手段と、前記仮想作動器の選択に応答して前記ファイルをインストールするように前記オペレーティング・システムに命令する手段とを含んでおり、
前記イメージング・システムは更にウイルス検出事象のログ（３４）を含んでおり、前記ウイルス走査部は更に、前記仮想作動器の選択に応答して前記ログにエントリーを記録する手段を含んでいる、請求項１記載の超音波イメージング・システム。
【請求項４】
前記イメージング・システムは更に表示サブシステム（１１、１４、１６）を含んでおり、前記ウイルス保護モニタは更に、前記一時停止したプロセスが登録されていないことを検出したことに応答して、前記表示サブシステムによって、ウイルス警告及び仮想作動器を含む第１のグラフィカル・ユーザ・インターフェースを表示させる手段を含んでおり、
前記ウイルス保護モニタは更に、前記第１のグラフィカル・ユーザ・インターフェース上の前記仮想作動器の選択に応答して、前記一時停止したプロセスを中止するように前記オペレーティング・システムに命令する手段を含んでいる、請求項１記載の超音波イメージング・システム。
【請求項５】
前記イメージング・システムは更にウイルス検出事象のログ（３４）を含んでおり、前記ウイルス保護モニタは更に、前記第１のグラフィカル・ユーザ・インターフェース上の前記仮想作動器の選択に応答して、前記ログにエントリーを記録する手段を含んでいる、請求項４記載の超音波イメージング・システム。
【請求項６】
前記ウイルス保護モニタは更に、前記第１のグラフィカル・ユーザ・インターフェース上の前記仮想作動器の選択に応答して、前記一時停止したプロセスを起動したファイルを前記ハードディスクから除去するように前記オペレーティング・システムに命令する手段を含んでいる、請求項４記載の超音波イメージング・システム。
【請求項７】
前記ウイルス保護モニタは更に、
前記第１のグラフィカル・ユーザ・インターフェース上の前記仮想作動器の選択に応答して、前記表示サブシステムによって、確認の要求及び仮想作動器を含む第２のグラフィカル・ユーザ・インターフェースを表示させる手段と、
前記第２のグラフィカル・ユーザ・インターフェース上の前記仮想作動器の選択に応答して、前記一時停止したプロセスを登録するための情報を前記レジストリに追加する手段と、
を含んでいる、請求項４記載の超音波イメージング・システム。
【請求項８】
超音波イメージング・システムであって、
画像データの複数のフレームを取得する画像取得サブシステムと、
取得された前記画像データの複数のフレームと複数の動作命令とを記憶するシステム・メモリと、
前記取得された画像データの複数のフレームに基づく画像を表示する表示サブシステムと、
画像データの複数のフレームを表示するように前記表示サブシステムを制御する表示プロセッサと、
画像データの複数のフレームと、前記複数の動作命令と、システム製造者又はサービス提供者によって前記イメージング・システムで実行することを許可された全てのプロセスのリストを表す暗号化されたデータを含むレジストリ・ファイルとを記憶するハードディスク（２１）と、
前記イメージング・システムの起動時に前記ハードディスクから前記システム・メモリに前記複数の動作命令をコピーするオペレーティング・システム（３６）と、
前記ハードディスクから前記システム・メモリにコピーされた前記複数の動作命令に従って、前記画像取得サブシステムと前記表示サブシステムと制御するようにプログラムされたホスト・コンピュータとを備え、
前記ホスト・コンピュータはさらに、前記ハードディスクから前記システム・メモリにコピーされていないがオペレーティング・システムにより実行される予定のアプリケーションプログラムを監視する手段を有するようにプログラムされ、
該監視する手段は、前記レジストリ・ファイルの前記暗号化されたデータを解読する手段と、前記オペレーティング・システムにより実行される前記アプリケーションプログラムの起動するプロセスを特定する、前記オペレーティング・システムから受け取った識別子と整合するエントリーがあるか前記解読されたデータを探索する手段とを備えている超音波イメージング・システム。
【請求項９】
前記ホスト・コンピュータは更に、前記起動するプロセスが登録されていないことを検出したことに応答して、前記表示サブシステムによって、ウイルス警告及び仮想作動器を含む第１のグラフィカル・ユーザ・インターフェースを表示させるようにプログラムされている、請求項８記載の超音波イメージング・システム。
【請求項１０】
前記ホスト・コンピュータは更に、前記第１のグラフィカル・ユーザ・インターフェース上の前記仮想作動器の選択に応答して、前記起動するプロセスを中止するようにプログラムされている、請求項９記載の超音波イメージング・システム。
【請求項１１】
前記イメージング・システムは更にウイルス検出事象のログ（３４）を含んでおり、前記コンピュータは更に、前記第１のグラフィカル・ユーザ・インターフェース上の前記仮想作動器の選択に応答して前記ログにエントリーを記録するようにプログラムされている、請求項１０記載の超音波イメージング・システム。
【請求項１２】
前記ホスト・コンピュータは更に、前記第１のグラフィカル・ユーザ・インターフェース上の前記仮想作動器の選択に応答して、前記アプリケーションプログラムを前記ハードディスクから除去するようにプログラムされている、請求項１０記載の超音波イメージング・システム。
【請求項１３】
前記ホスト・コンピュータは更に、以下のステップ、すなわち、
前記第１のグラフィカル・ユーザ・インターフェース上の前記仮想作動器の選択に応答して、前記表示サブシステムによって、確認の要求及び仮想作動器を含む第２のグラフィカル・ユーザ・インターフェースを表示させるステップと、
前記第２のグラフィカル・ユーザ・インターフェース上の前記仮想作動器の選択に応答して、前記一時停止したプロセスを登録するための情報を前記レジストリに追加するステップと、
を実行するようにプログラムされている、請求項９記載の超音波イメージング・システム。